(57)【要約】【課題】複数のポートあるいは接続端子を備えた通信端末のそれぞれの接続端子（ポート）に間違いなく接続することができるコネクタ付き接続ケーブルを得る。【解決手段】通信ケーブル２０１の接続されたコネクタ２０２1の上面には接続端子設定内容指示部２１７が設けられている。接続端子表示部２１６の各文字のうちで矢印が指示した番号の接続端子が接続先となるように回転矢印部２１５を回転調整する。通信ケーブル２０１の図示しない他端のコネクタの接続端子設定内容指示部にも同一の調整を行っておくことで、コネクタ付き接続ケーブル２００の一端がどの接続端子に入力されているかが分かる。接続端子設定内容指示部２１７で接続先の接続端子を予め指示するようにしてもよい。また、接続端子だけでなく、相手の接続機器をも表わすようにすることもできる。接続端子設定内容指示部２１７は、各種の変形が可能である。【選択図】図２
2006092893.tif 000002
【特許請求の範囲】
【請求項１】
接続対象となる通信端末の複数の接続端子のいずれに接続するかを表示する接続先表示部を少なくともその一方に備えた１対のコネクタと、
これら１対のコネクタの間を接続したケーブル
とを具備することを特徴とするコネクタ付き接続ケーブル。
【請求項２】
前記接続先表示部は、コネクタ表面に設けられた所定の支点を中心に回転自在とされた矢印形状の指示部品と、この指示部品の回転に伴って矢印の指す箇所にそれぞれ接続先の端子を記した表示部とを具備することを特徴とする請求項１記載のコネクタ付き接続ケーブル。
【請求項３】
前記接続先表示部は、接続先を数値で特定するための数値表示部と、この数値表示部の表示する数値をカウントアップするカウント手段とを備えたカウンタで構成されることを特徴とする請求項１記載のコネクタ付き接続ケーブル。
【請求項４】
前記接続先表示部は、コネクタ本体内部に収容されその一部を外部に突出させると共に、その外周に沿って前記通信端末の複数の接続端子をそれぞれ特定する数字または文字を表示し、前記コネクタ本体内部の所定の位置を中心として回転自在とされた回転円板と、前記コネクタ本体の前記回転円板に表示された前記数字または文字に対応する位置に設けられ、回転円板の回転に応じて前記複数の接続端子の１つに対応する数字または文字を開口を通して表示する表示部とを具備することを特徴とする請求項１記載のコネクタ付き接続ケーブル。
【請求項５】
前記接続先表示部は、コネクタ表面に設けられ正多角形をした窪みと、この窪みに嵌合する同一の正多角形をし、それぞれの角部あるいは辺に対応させて、前記通信端末のそれぞれの接続端子を１つずつ特定する前記数字または文字を表わした表示部を備えた着脱自在の回転指示板と、前記窪みの周囲の任意の位置に配置され、回転指示板の回転角度に応じて前記接続端子を特定する数字または文字を指示するマーク部とを具備することを特徴とする請求項１記載のコネクタ付き接続ケーブル。
【請求項６】
回転指示板は、その中心側に、正多角形をした窪みと、この窪みに嵌合する同一の正多角形をし、それぞれの角部あるいは辺に対応させて、前記通信端末を特定する数字または文字を表わした表示部を備えた着脱自在の内指示部を備えることを特徴とする請求項５記載のコネクタ付き接続ケーブル。
【発明の詳細な説明】
【技術分野】
【０００１】
本発明は、たとえばハブ間を接続するコネクタ付き接続ケーブルのように、複数のポートのうちの所望のポートを選択して接続するためのコネクタ付き接続ケーブルに関する。
【背景技術】
【０００２】
複数のコンピュータでＬＡＮ（Local Area Network）を構成するような場合には、ハブ等の集線装置（以下、ハブと略称する）を用いてこれらの間を通信ケーブルで接続するようにしている。このように通信機器間を通信ケーブルで接続する際には、８端子コネクタとしてのＲＪ（Registered Jack）−４５や、８〜１０端子コネクタとしてのＲＪ−４８あるいは２〜６端子(６極２〜６芯)のコネクタとしてのＲＪ−１１等のコネクタを通信ケーブルに圧着したものが数多く使用されている。
【０００３】
図９は、ハブを使用してコンピュータをツリー状に接続した例を示したものである。この例では、たとえばインターネットに接続された第１の接続ケーブル１０１1が第１のハブ１０２1の上流側のポートに接続され、下流側の１つのポートに接続された第２の接続ケーブル１０１2を介して第１のコンピュータ１０３1が接続されている。下流側の残りの２つのポートには、それぞれ第３あるいは第４の接続ケーブル１０１3、１０１4が接続されており、これらの他端は第２あるいは第３のハブ１０２2、１０２3の上流側のポートに接続されている。これら第２あるいは第３のハブ１０２2、１０２3の下流側の１つのポートには、第５あるいは第６の接続ケーブル１０１5、１０１6を介して第２あるいは第３のコンピュータ１０３2、１０３3が接続されている。以下同様にして、第７〜第１０の通信ケーブル１０１7〜１０１10等の通信ケーブルおよび図示しないハブを用いて更に多くのコンピュータ等の通信機器が接続された通信システムが構成される。
【０００４】
図９に示した接続形態は、通信ケーブル１０１を使用した通信システムのほんの一例を示したものである。この図に示した通信ケーブル１０１1、１０１2、……も、これらの多くはフロアの下に敷設されたり、あるいは一群の通信ケーブルとしてまとめられて配管の中に収められた状態で配線されるようになっている。したがって、通信システムを構築したり、その手直しを行う際には、通信ケーブル１０１1、１０１2、……のそれぞれの接続先としてのハブを間違わないように選択して作業を行う必要がある。
【０００５】
このため、従来では、通信ケーブル１０１1、１０１2、……のそれぞれの色を変えたり、通信ケーブル１０１1、１０１2、……の先に装着された図示しないコネクタにタグを取り付けて、これらのタグに該当するハブ１０２の種類を書き込むといったことが行われた。ところが、通信ケーブル１０１1、１０１2、……の色は、暗がり等でも色同士を明確に区別できるようにするために市販のもので数種類しか存在しない。したがって、ハブ１０２の種類が多くなったような場合には、通信ケーブルの色の種類をこれに対応付けることでは不可能であった。
【０００６】
そこで、それぞれの通信ケーブルの先の端子あるいはコネクタに、接続先の装置を表示する指示部を設けることが提案されている（たとえば特許文献１参照）。この提案では、複数の電子機器名が表示される表示部と、この表示部に表示された複数の電子機器名のうちコードの接続先および導出元のうち少なくともいずれかひとつの電子機器名を特定して指し示す指示部とを設けるようにしている。したがって、コードを目的の電子機器に正確に接続することができる。
【特許文献１】（特開２０００−２５２０１６号公報  第０００７、第０００８段落、図２）
【発明の開示】
【発明が解決しようとする課題】
【０００７】
ところが、図９に示した例では、第１のハブ１０２1等の接続する電子機器名を判別しても、この提案ではそれぞれのハブ１０２のポートあるいは個々の端子まで特定することができない。もちろん、通信ケーブル１０１1、１０１2、……の数を数本以上使用する場合には、ケーブルの色をこれに対応して用意することができないので、更にポートに対応して色の割り当てを行うことができない。
【０００８】
また、仮に特殊な色の通信ケーブルが存在しても、その長さやコネクタが所望のものに対応していないことが多い。したがって、所望の色や１本のケーブルの表面における色の組み合わせ（柄）の異なる通信ケーブルを個々に製造させて、これに所望のコネクタを圧着することでコネクタ付き接続ケーブルを自作することしかない。しかしながら、これではコネクタ付き接続ケーブルの単価が非常に高くなるだけでなく、コネクタ付き接続ケーブルの種類が非常に多くなるので、在庫管理も複雑化して、現実的ではない。
【０００９】
そこで、図９に示した通信ケーブル１０１1、１０１2、……のそれぞれの端部にタグを取り付けておき、作業者が現場でそれぞれに割り当てるポート番号を書き込むといったことが現実には行われていた。ところが、この場合には、書き込んだ人以外の人がタグ情報を読み取る場合に文字の判読ミスが生じる場合があった。また、ハブ１０２等の通信機器へのコネクタの接続を何回か試行するような場合には、タグに前に書き込んだ識別情報をその都度書き換える必要があるが、インクの重ね書きにより判読不能な状態になってしまう場合もある。また、書き込む場所がなくなる等によって書き込みを怠たると、前に記したポートの番号が間違って使用されることになる。
【００１０】
そこで本発明の目的は、複数のポートあるいは接続端子を備えた通信端末のそれぞれのポートあるいは接続端子に間違いなく接続することができるコネクタ付き接続ケーブルを提供することにある。
【課題を解決するための手段】
【００１１】
本発明では、（イ）接続対象となる通信端末の複数の接続端子のいずれに接続するかを表示する接続先表示部を少なくともその一方に備えた１対のコネクタと、（ロ）これら１対のコネクタの間を接続したケーブルとをコネクタ付き接続ケーブルに具備させる。
【００１２】
すなわち本発明では、通信ケーブルの接続されたコネクタに、接続先の通信端末のポートあるいは接続端子（以下、接続端子と総称する。）を指示する接続先表示部を設けることにしている。接続先は、そのコネクタが装着される接続端子である場合と、同じ通信ケーブルに接続された他方のコネクタが装着される接続端子である場合とがある。
【００１３】
接続先表示部は時計型だけでなく、カウンタ型等の各種の変形が可能である。また、接続先表示部はコネクタのいずれの面に設けてもよいし、１つの面に設ける個数も１つに限定されない。
【発明の効果】
【００１４】
このように本発明によれば、コネクタ自体に接続先表示部を設け、少なくともその１つが接続先の通信端末の接続端子を指示することにしたので、接続端子が複数存在する通信端末に対する接続先を、通信ケーブル自体にストレスを与えることなく容易に確認することができる。また、通信ケーブル自体に表示用の部品を取り付けることがないので、通信ケーブル自体が互いに絡んだり、表示用の部品が通信ケーブルの移動に伴って脱落することがない。
【００１５】
また、本発明では接続先を用紙や材料の面に記入するといった形態を採らないので、接続先が何回変更されても、接続先を明確に指示することができる。また、表示された文字や記号は予め用意された見やすい形で表わすことができるので、判読ミスが発生することもない。このため、通信ケーブルの誤配線や誤挿抜といった事故を防止することができる。
【発明を実施するための最良の形態】
【００１６】
以下実施例につき本発明を詳細に説明する。
【実施例１】
【００１７】
図１は、本発明の第１の実施例におけるコネクタ付き接続ケーブルの外観を表わしたものである。このコネクタ付き接続ケーブル２００は、通信ケーブル２０１の両端にＲＪ−４５タイプのコネクタ２０２1、２０２2を圧着したものである。通信ケーブル２０１は所望の長さとなっている。
【００１８】
図２は、このコネクタ付き接続ケーブルの一方の端部近傍を表わしたものである。コネクタ付き接続ケーブル２００の通信ケーブル２０１には、コネクタ２０２1が圧着されている。なお、本実施例で他方のコネクタ２０２2はコネクタ２０２1と同一の構成となっているので、その説明を省略する。また、この図では、コネクタ本体２１１を接続相手の通信端末にロックするためのレバーは、コネクタ本体２１１の下側に存在し、図示されていない。
【００１９】
コネクタ２０２1は、コネクタ本体２１１の上面における信号ピン部２１２の配置された先端部から所定距離だけ間隔を置いた位置に、表面からわずかに窪んだ円形状の円形溝部２１３を形成している。この円形溝部２１３の中央位置には、周囲の溝部分から取り残される形で棒状の突起２１４が存在しており、これに回転矢印部２１５の棒状部分２１５1に開けられた穴部が嵌合している。これにより、回転矢印部２１５は、指等で棒状部分２１５1を比較的強く水平方向に押すことで、突起２１４を回転中心として３６０度回転することができる。円形溝部２１３の周囲には、接続する通信端末の接続端子の番号に対応させて番号“０”から番号“９”および英字“Ｘ”がそれぞれ等しい角度を置いて印刷されており接続端子表示部２１６を構成している。印刷の代わりに、これら接続端子表示部２１６の各文字が表面の凹凸形状として形成されていてもよい。
【００２０】
本実施例のコネクタ本体２１１は、円形溝部２１３、突起２１４、回転矢印部２１５および接続端子表示部２１６が全体として接続端子設定内容指示部２１７を構成している。この接続端子設定内容指示部２１７は、接続端子表示部２１６に表示されている接続端子の数との関係で最大で１０個の接続端子を備えた通信端末用に対応しており、英字“Ｘ”は「接続先未設定」の状態を表わしている。工場出荷時には、回転矢印部２１５の矢印部分２１５2が英字“Ｘ”を指している。したがって、このコネクタ付き接続ケーブル２００を用いて図示しない通信端末に対して接続作業を行う者は、矢印部分２１５2が英字“Ｘ”を指している場合には、接続端子番号の設定をまだ行っていないことを知ることができる。
【００２１】
作業者は、本実施例のコネクタ付き接続ケーブル２００の一端に配置されたコネクタ２０２1を通信端末の接続端子に接続するとき、接続端子表示部２１６における接続端子を示す番号に矢印部分２１５2を一致させる。これにより、その通信端末の各接続端子に一度装着したコネクタ２０２1を取り外した後も、再び元の接続端子に通信ケーブル２０１を接続することができる。また、この接続作業のときに、図１に示した２つのコネクタ２０２1、２０２2に、矢印部分２１５2の示す位置を共に同一箇所に設定しておくことで、他方のコネクタ２０２2を接続する際に、一方のコネクタ２０２1に接続された接続端子の番号との関係で、通信ケーブル２０１が同一のものであるか否かを容易に判別することができる。
【００２２】
もちろん、それぞれの接続先を予め配線図で決定しているような場合には、通信ケーブル２０１の両端に接続されたこれら２つのコネクタ２０２1、２０２2の接続端子設定内容指示部２１７にそれぞれの接続際の接続端子を指示する設定を予め行っておき、それぞれ対応する箇所の通信端末について指示された接続端子にこれらのコネクタ２０２1、２０２2を装着するようにしてもよい。
【００２３】
＜第１の実施例の第１の変形例＞
【００２４】
図３は、第１の実施例のコネクタ付き接続ケーブルの第１の変形例を示したものである。コネクタ付き接続ケーブル２００Ａを表わした図３で図２と同一部分には同一の符号を付しており、これらの説明を適宜省略する。この第１の変形例のコネクタ２０２1Ａではコネクタ本体２１１のレバー２２１の存在する側に接続端子設定内容指示部２１７Ａを配置している。このように接続端子設定内容指示部２１７Ａはコネクタ本体２１１のどちらの側に配置するものであってもよい。
【００２５】
また、コネクタ本体２１１の両側に接続端子設定内容指示部２１７Ａを配置することも可能である。このようにコネクタ２０２1Ａおよび図示しない他方の２０２2Ａのそれぞれ両側に接続端子設定内容指示部２１７Ａを配置することで、これらを入出力双方を指示するものとすることができる。たとえば、図３に示した一方のコネクタ２０２1Ａのレバー２２１の存在しない側（図で上側）の図示しない接続端子設定内容指示部２１７Ａには、このコネクタ２０２1Ａの装着される通信端末の接続端子番号が設定され、レバー２２１の存在する側の図示の接続端子設定内容指示部２１７Ａには、他方のコネクタ２０２2Ａの装着される通信端末の接続端子番号が設定されるようにすることができる。
【００２６】
このようにコネクタ２０２1Ａ、２０２2Ａそれぞれの接続端子設定内容を１本の通信ケーブル２０１のそれぞれの端部で表示するようにすることで、その通信ケーブル２０１を他の通信ケーブルと区別することができる。また、コネクタ２０２1Ａ、２０２2Ａの両側の面に接続端子設定内容指示部２１７Ａを配置することで、通信端末を裏返すことなく接続先を確認することもできる。
【００２７】
＜第１の実施例の第２の変形例＞
【００２８】
図４は、第１の実施例のコネクタ付き接続ケーブルの第２の変形例を示したものである。図４で図２と同一部分には同一の符号を付しており、これらの説明を適宜省略する。この第２の変形例のコネクタ付き接続ケーブル２００Ｂでは、接続端子設定内容指示部２１７Ｂが２つの回転矢印部２１５、回転矢印部２１５Ｂを備えている。これらは、それぞれ突起２１４を回転中心として単独に回転可能である。第２の変形例では、このように回転矢印部２１５、回転矢印部２１５Ｂの２つを備えることで、コネクタ付き接続ケーブル２００Ｂを次のような用途に使用できる。
【００２９】
（ａ）第１の変形例でコネクタ本体２１１の両側に接続端子設定内容指示部２１７Ａを配置する例を説明したが、１つの接続端子設定内容指示部２１７Ｂでこれを兼ねることができる。
（ｂ）通信端末が１１以上の多数の接続端子を用意しているような場合に、たとえば回転矢印部２１５に１の位を指示させ、回転矢印部２１５Ｂに１０の位を指示させるといった用途に使用して、より多数の接続端子を指示させることができる。
（ｃ）たとえば回転矢印部２１５に接続端子番号を指示させ、回転矢印部２１５Ｂに通信端末の種類を指示させることもできる。第１の変形例でコネクタ本体２１１の両側に接続端子設定内容指示部２１７Ａを配置した場合も、これと同様に１つの面で接続端子番号を指示させ、他方の面で通信端末の種類を指示させることも可能である。
【実施例２】
【００３０】
図５は、本発明の第２の実施例におけるコネクタ付き接続ケーブルの一方の端部近傍を表わしたものである。第２の実施例でコネクタ付き接続ケーブル２００Ｃは、第１の実施例の図１に示したように通信ケーブル２０１の両端にＲＪ−４５タイプのコネクタ２０２1Ｃおよび図示しない他方のコネクタ２０２2Ｃが圧着された構成となっている。そこで、図５で図２と同一部分には同一の符号を付して、これらの説明を適宜省略する。
【００３１】
この第２の実施例のコネクタ付き接続ケーブル２００Ｃで、接続端子設定内容指示部２１７Ｃは２桁の数字を１つずつ表示するカウンタ表示部２３１、２３２で構成されている。作業者は、コネクタ本体２１１Ｃの側部から突出したプッシュ部２３３を押すことで、図示しない機械式の内蔵カウンタを１つずつカウントアップさせることができる。リセット用のプッシュ部や誤った押下をカウントしないためのプロテクト機構が更に設けられていてもよい。
【００３２】
また、カウンタ表示部２３１、２３２を液晶パネルやＥＬ（Electro Luminescence）板で構成し、電子的なカウントを行うようにしてもよい。この場合には、２つのカウンタ表示部２３１、２３２を１つにして、これに入出力用の各接続端子の情報や通信端末の情報を表示することも可能である。
【実施例３】
【００３３】
図６は、本発明の第３の実施例におけるコネクタ付き接続ケーブルの一方の端部近傍を表わしたものである。第３の実施例でコネクタ付き接続ケーブル２００Ｄは、第１の実施例の図１に示したように通信ケーブル２０１の両端にＲＪ−４５タイプのコネクタ２０２1Ｄおよび図示しない他方のコネクタ２０２2Ｄが圧着された構成となっている。そこで、図６で図２と同一部分には同一の符号を付して、これらの説明を適宜省略する。
【００３４】
この第３の実施例のコネクタ付き接続ケーブル２００Ｄで、接続端子設定内容指示部２１７Ｄは、コネクタ本体２１１Ｄの内部から一部が側部から外に突出した回転円板２４１と、コネクタ本体２１１Ｄの上面の一部に開口部として設けられた表示部２４２とで構成されている。回転円板２４１には、円周に沿って、かつ、回転時に表示部２４２の真下に位置する箇所に接続端子番号を示す数字や文字等が印刷されている。回転円板２４１は所定以上の力を加えたとき、数字や文字の１つずつに対応して１ステップずつ回転移動するようになっている。したがって、作業者は回転円板２４１を指で回転させて、接続端子番号等の所望の情報を表示部２４２に表示させることができる。
【実施例４】
【００３５】
図７は、本発明の第４の実施例におけるコネクタ付き接続ケーブルの一方の端部近傍を表わしたものである。この第４の実施例のコネクタ付き接続ケーブル２００Ｅでは、コネクタ本体２１１Ｅの上面における信号ピン部２１２の配置された先端部から所定距離だけ間隔を置いた位置に、正８角形の窪み２５１が形成されており、その中に二重回転指示板２５２が着脱自在に嵌入されている。二重回転指示板２５２は、その脱落を防止するために、透明あるいは不透明な帯状部材２５３がその上に掛け渡されている。帯状部材２５３の一端は、止め具２５４によって回動自在に支持されている。帯状部材２５３の他端部には小孔２５５が開けられている。コネクタ本体２１１Ｅの上面における対応する位置に形成された突起２５６を嵌入することで、この他端部を固定するようになっている。コネクタ本体２１１Ｅの上面には、表示位置を示すマーク部２５７が印刷等によって形成されている。二重回転指示板２５２およびマーク部２５７が本実施例の接続端子設定内容指示部２１７Ｅを構成している。
【００３６】
図８は、この接続端子設定内容指示部を拡大して表わしたものである。接続端子設定内容指示部２１７Ｅを構成する二重回転指示板２５２は、外形が正８角形でその中心部に正方形の穴２６１が開いたリング状の外指示部２６２と、この穴２６１に嵌入する正方形の内指示部２６３によって構成されている。外指示部２６２には、正８角形のそれぞれの角部に接続端子等の接続対象を指示する番号が記されている。内指示部２６３も同様に正方形のそれぞれの角部に接続端子等の接続対象を指示する文字が記されている。また、外指示部２６２と内指示部２６３には、それぞれ小孔２６４、２６５が開けられている。これらの小孔２６４、２６５は、図示しないピン等の細い針状部材を差し込むことで、これらの外指示部２６２あるいは内指示部２６３をコネクタ本体２１１Ｅ等から取り外すために使用される。
【００３７】
このような第４の実施例のコネクタ付き接続ケーブル２００Ｅで、接続端子設定内容指示部２１７Ｅを調整する手順を説明する。作業者は、まず図７に示す帯状部材２５３の小孔２５５が設けられた側を持ち上げて、突起２５６を小孔２５５から外す。この状態で帯状部材２５３を止め具２５４を中心として約９０度回転させる。これにより、二重回転指示板２５２が帯状部材２５３から取り出せる状態となる。この状態で、作業者は図示しないピンやゼムクリップの端部を小孔２６４に差し込んで、二重回転指示板２５２を８角形の窪み２５１から取り出す。
【００３８】
そして、たとえばコネクタ２０２1Ｅを装着する接続端子の番号が外指示部２６２に記された番号とマーク部２５７で一致するような回転角度に調整して、正８角形の窪み２５１に二重回転指示板２５２を嵌め込む。次に、外指示部２６２を指で押さえた状態で小孔２６５にピンやゼムクリップの端部を差し込んで、内指示部２６３を外指示部２６２から取り外す。この内指示部２６３の取り外しの作業は、外指示部２６２を８角形の窪み２５１から取り外したときに行っていてもよい。
【００３９】
次に作業者は、内指示部２６３に記された文字がマーク部２５７で装着する通信端末を表わす識別情報と一致する回転角度に調整して、正方形の穴２６１にこれを嵌め込む。これにより、マーク部２５７と対応させて２つの情報が二重回転指示板２５２によって表示されたことになる。作業者は以上の作業を終了したら、帯状部材２５３を元の位置まで回転させて、小孔２５５に突起２５６を貫通させて、二重回転指示板２５２が脱落しないように固定する。
【００４０】
なお、本実施例では二重回転指示板の外指示部２６２の外周を正八角形とし、内指示部２６３を正方形としたが、これらの角数は任意のものであってよい。ただし、外指示部２６２と内指示部２６３の両方の角が、常にマーク部２５７の方向と一致するように角数を設定する必要がある。
【００４１】
以上説明した各実施例ではコネクタ２０２の片面に１つの接続端子設定内容指示部２１７〜２１７Ｅを配置したが、これらを複数配置するようにしてもよい。また、これらの実施例で示した異なったタイプの接続端子設定内容指示部２１７〜２１７Ｅをコネクタ２０２の両面に組み合わせて配置したり、１つの面に組みあせて配置するようにしてもよい。
【００４２】
また、これらの実施例では、ＲＪ−４５タイプのコネクタを使用したコネクタ付き接続ケーブルについて説明したが、ＲＪ−４８、ＲＪ−１１等の他のコネクタを使用したコネクタ付き接続ケーブルに本発明を同様に適用することができる。
【図面の簡単な説明】
【００４３】
【図１】本発明の第１の実施例におけるコネクタ付き接続ケーブルの外観を表わした斜視図である。
【図２】第１の実施例でコネクタ付き接続ケーブルの一方の端部近傍を表わした斜視図である。
【図３】第１の実施例の第１の変形例でコネクタ付き接続ケーブルの一方の端部近傍を表わした斜視図である。
【図４】第１の実施例の第２の変形例でコネクタ付き接続ケーブルの一方の端部近傍を表わした斜視図である。
【図５】本発明の第２の実施例におけるコネクタ付き接続ケーブルの一方の端部近傍を表わした斜視図である。
【図６】本発明の第３の実施例におけるコネクタ付き接続ケーブルの一方の端部近傍を表わした斜視図である。
【図７】本発明の第４の実施例におけるコネクタ付き接続ケーブルの一方の端部近傍を表わした斜視図である。
【図８】第４の実施例の接続端子設定内容指示部を拡大して表わした平面図である。
【図９】ハブを使用してコンピュータをツリー状に接続した例を示したシステム構成図である。
【符号の説明】
【００４４】
２００、２００Ａ、２００Ｂ、２００Ｃ、２００Ｄ、２００Ｅ  コネクタ付き接続ケーブル
２０１  通信ケーブル
２０２1、２０２1Ａ、２０２1Ｃ、２０２1Ｄ、２０２1Ｅ、２０２2  コネクタ
２１５、２１５Ｂ  回転矢印部
２１６、２１６Ａ  接続端子表示部
２１７、２１７Ａ、２１７Ｂ、２１７Ｃ、２１７Ｄ、２１７Ｅ  接続端子設定内容指示部
２３１、２３２  カウンタ表示部
２３３  プッシュ部
２４１  回転円板
２５２  二重回転指示板
２５７  マーク部
２６２  外指示部
２６３  内指示部
【図１】
2006092893.tif 000003
【図２】
2006092893.tif 000004
【図３】
2006092893.tif 000005
【図４】
2006092893.tif 000006
【図５】
2006092893.tif 000007
【図６】
2006092893.tif 000008
【図７】
2006092893.tif 000009
【図８】
2006092893.tif 000010
【図９】
2006092893.tif 000011